(57)【要約】【課題】応答性及び耐久性の高い手段により、燃料電池の膜電極接合体の湿潤度合いを把握して、運転停止時のパージ終了条件を判定する。【解決手段】燃料電池スタック１の温度測定セル９に、温度センサ１０，１１を設ける。燃料電池システムの運転停止時に、制御装置１３は、運転停止前の負荷履歴に基づいてセル中の残留水分量を推定し、空気によるパージ中の水の蒸発熱による温度低下幅に基づいて、膜電極接合体の湿潤度合いを推定し、所定の湿潤度合いを下回るとパージを停止する。【選択図】    図１
2007317552.tif 000002
【特許請求の範囲】
【請求項１】
固体高分子電解質を用いた燃料電池スタックと、
該燃料電池スタックのアノードに燃料ガスを供給する燃料ガス供給手段と、
該燃料電池スタックのカソードに酸化剤ガスを供給する酸化剤ガス供給手段と、
燃料電池システムの運転停止時に前記燃料電池スタックの燃料ガス流路及び酸化剤ガス流路の少なくとも一方をパージするパージ制御手段と、
前記燃料電池スタック中の少なくとも１セルに、少なくとも１ヶ所以上に配置された温度計測手段と、
前記パージ前の燃料電池スタックの発電履歴に基づいて前記燃料電池スタック中の残留水分量を推定する残留水分量推定手段と、
前記パージ時に前記温度計測手段で測定された温度変化に基づいてパージ中の水の蒸発量を推定する蒸発量推定手段と、を備え、
前記パージ制御手段は、前記残留水分量及び前記蒸発量から推定される前記燃料電池スタック内部の湿潤度合いが所定値を下回った時に、前記パージを停止することを特徴とする燃料電池システム。
【請求項２】
燃料電池システムの次回起動時の温度を予測する温度予測手段を備え、
前記パージ制御手段は、該温度予測手段が予測した温度に基づいて前記燃料電池スタックの湿潤度合い要求値を求め、パージ中の前記燃料電池スタックの湿潤度合いが前記要求値となったところで、パージを停止することを特徴とする請求項１に記載の燃料電池システム。
【請求項３】
前記燃料電池スタック中の少なくとも１セルに、酸化剤ガスの流れ方向の上流側と下流側の２ヶ所以上の部位に温度計測手段を設け、
パージ時に前記温度計測手段で測定された各部位の温度変化に基づいて算出した各部位の水の蒸発量と、パージ前の燃料電池の発電履歴から推定される各部位のセル中の残留水分量とに基づいて、前記燃料電池スタック内部の湿潤度合いを推定し、
パージにともない上流側の部位の湿潤度合いが低下して所定値になった後に、上流側の部位の温度を下げてパージを継続することを特徴とする請求項１に記載の燃料電池システム。
【請求項４】
前記燃料電池スタックの各セル内の酸化剤ガスの上流部に対応する部位を冷却する第１冷却液流路と、
前記燃料電池スタックの各セル内の酸化剤ガスの下流部に対応する部位を冷却する第２冷却液流路と、
第１冷却液流路の冷却液流量及び第２冷却液流路の冷却液流量を独立して制御可能な冷却液循環手段と、を備え、
前記上流側の温度を下げる際に、第１冷却液流路のみに冷却液を流すことを特徴とする請求項３に記載の燃料電池システム。
【請求項５】
前記温度計測手段は、前記燃料電池スタックのセルを構成する膜電極接合体に近接して設けられていることを特徴とする請求項１乃至請求項４の何れか１項に記載の燃料電池システム。
【請求項６】
前記燃料電池スタック中に発電に寄与しないダミーセルを設け、
前記温度計測手段は、該ダミーセル内に設けられていることを特徴とする請求項１乃至請求項４の何れか１項に記載の燃料電池システム。
【発明の詳細な説明】
【技術分野】
【０００１】
本発明は、燃料電池スタック内の湿潤度合いを把握し、この湿潤度合いを用いて燃料電池システム停止時に燃料電池スタックを効率的にパージする燃料電池システムに関する。
【背景技術】
【０００２】
燃料電池システムは、燃料が有する化学エネルギを直接電気エネルギに変換する装置であり、電解質膜を挟んで設けられた一対の電極のうち負極に水素を含有する燃料ガスを供給するとともに、他方の正極に酸素を含有する酸素剤ガスを供給し、これら一対の電極の電解質膜側の表面で生じる下記の電気化学反応を利用して電極から電気エネルギを取り出すものである。
【０００３】
負極反応：Ｈ2 → ２Ｈ+ ＋ ２ｅ-                         …（１）
正極反応：２Ｈ+ ＋ ２ｅ- ＋（１／２）Ｏ2  →  Ｈ2Ｏ     …（２）
負極に供給する燃料ガスは、水素貯蔵装置から直接供給する方法、水素を含有する原燃料を改質して改質した水素含有ガスを供給する方法が知られている。水素貯蔵装置としては、高圧ガスタンク、液化水素タンク、水素吸蔵合金タンク等がある。水素を含有する原燃料としては、天然ガス、メタノール、ガソリン等が考えられる。正極に供給する酸化剤ガスとしては、一般的に空気が利用されている。
【０００４】
ところで、燃料電池を氷点下から起動させるためには、あらかじめ燃料電池内部から水分を除去しておくことが必要である。なぜならば、氷点下雰囲気では、燃料電池内部に残留した水が凍ってしまい、反応ガスの拡散を妨げ、発電不能に陥ってしまうからである。そこで、燃料電池停止時に水分をパージする技術に関する特許が多く公開されており、その中で、パージを停止する条件について様々な形態が提案されている。
【０００５】
例えば、特許文献１や特許文献２に示されているように、燃料電池の運転停止時に、ガスを加湿しないで燃料電池内に供給して乾燥させ、電解質膜の乾燥により燃料電池本体の出力電圧が所定の値に低下した時点を所定の湿潤度合いと見なし、運転を停止するという技術が公知となっている。
【０００６】
また、特許文献３に示されているように、パージガス出口に湿度計のような水分センサーまたは、抵抗計を用いて電解質膜の湿潤度合いを把握し、その湿潤度合いに基づき水分除去制御を実施する技術が公知となっている。さらに、特許文献４のように、燃料電池の入口と出口のガスの露点差をモニターすることによって電解質膜の湿潤度合いを把握し、所定値以下の乾燥状態となったらパージを停止するという技術が公知となっている。
【特許文献１】特開２００１−３３２２８１号公報（第４頁、図２）
【特許文献２】特開２００２−２０８４２１号公報（第４頁、図２）
【特許文献３】特開２００２−２４６０５３号公報（第４頁、図１）
【特許文献４】特開２００２−３１３３９４号公報（第３頁、図１）
【発明の開示】
【発明が解決しようとする課題】
【０００７】
しかしながら、特許文献１や特許文献２に記載の燃料電池の電圧の低下で膜の湿潤度合いを判断する方法では、パージ時に必ず燃料電池の発電を伴わなければならず、バッテリーなどを使用したパージ時にはこの方法は使用できない。また、湿度に対するロバスト性に高い膜、つまり乾燥に強い膜を使用した場合には、セル電圧だけでは必ずしも膜の湿潤度合いを把握することはできない。
【０００８】
また、特許文献３記載の、湿度計・露点計を用いる方法では、応答性が悪い・コストが高い・計測器の耐久性が低いなどの問題点がある。さらに、特許文献３の実施例で示されている、抵抗計を用いる方法においても、コストが高く、また、フルスタックレベルの交流インピーダンスを測定できる抵抗計は技術的な難易度が高く例えば車両に搭載する場合には好ましくない。
【課題を解決するための手段】
【０００９】
上記課題を解決するために、本発明は、固体高分子電解質を用いた燃料電池スタックと、該燃料電池スタックのアノードに燃料ガスを供給する燃料ガス供給手段と、該燃料電池スタックのカソードに酸化剤ガスを供給する酸化剤ガス供給手段と、燃料電池システムの運転停止時に前記燃料電池スタックの燃料ガス流路及び酸化剤ガス流路の少なくとも一方をパージするパージ制御手段と、前記燃料電池スタック中の少なくとも１セルに、１ヶ所以上に配置された温度計測手段と、前記パージ前の燃料電池スタックの発電履歴に基づいて前記燃料電池スタック中の残留水分量を推定する残留水分量推定手段と、前記パージ時に前記温度計測手段で測定された温度変化に基づいてパージ中の水の蒸発量を推定する蒸発量推定手段と、を備え、前記パージ制御手段は、前記残留水分量及び前記蒸発量から推定される前記燃料電池スタック内部の湿潤度合いが所定値を下回った時に、前記パージを停止することを要旨とする燃料電池システムである。
【００１０】
本発明によれば、湿度センサや露点計等の複雑な構造を有する測定手段を用いることなく、構造が簡単で耐久性の高い温度測定手段を用いて、燃料電池スタック内部の湿潤度合いを推定することができ、この推定した湿潤度合いを用いて正確なパージ終了条件を判断することができる。
【発明の効果】
【００１１】
本発明によれば、従来のように湿潤度合いが不明確なため冗長なパージをしているシステムと比較し、不必要なパージ時間、パージのためのエネルギーを節約できるという効果がある。また、パージのし過ぎによる電解質膜のドライアウトを防止でき、起動時の応答性や耐久性を向上させることができるという効果がある。
【発明を実施するための最良の形態】
【００１２】
以下、図面に基づいて本発明の実施の形態について説明する。尚、以下の各実施例で示す燃料電池システムは、特に限定されないが、氷点下の環境で使用可能な燃料電池車両に好適な燃料電池システムである。
【実施例１】
【００１３】
図１は、本発明に係る燃料電池システムの実施例１の構成を示す構成図である。同図において、燃料電池システムは、固体高分子電解質を用いた燃料電池スタック１、燃料電池スタック１に酸化剤ガスとして空気（以下、カソードガスと呼ぶ）を供給する空気コンプレッサ２、燃料電池スタック１を冷却する冷却液を循環させる冷却液ポンプ３、冷却液を放熱するラジエータ４、燃料ガスである水素ガス（アノードガス）を貯蔵する水素タンク５、水素タンク５から供給される高圧水素ガスの圧力を燃料電池の運転圧力まで低減する水素圧力調整弁６、ラジエータ４をバイパスするバイパス流路７、冷却液の流れる方向をラジエータ４とバイパス流路７に切り換える三方弁８、温度測定の対象セルである温度測定セル９、温度測定セル９に設けられた上流側温度センサ１０、下流側温度センサ１１、燃料電池スタック１の冷却液出口に設けられた冷却液出口温度センサ１２、制御装置１３とを備えている。
【００１４】
上流側温度センサ１０と下流側温度センサ１１とは、温度測定セル９の発電面内の発電量分布に関連する値を測定する発電量分布測定手段であり、温度測定セル９内の酸化剤ガス流の上流側に上流側温度センサ１０、酸化剤ガス流の下流側に下流側温度センサ１１が配置されている。
【００１５】
制御装置１３は、燃料電池システム全体を制御する制御装置であるとともに、燃料電池システムの運転停止時に燃料電池スタック１の燃料ガス流路及び酸化剤ガス流路の少なくとも一方をパージするパージ制御手段である。
【００１６】
また、制御装置１３は、燃料電池システム運転停止時のパージ前の燃料電池スタックの発電履歴に基づいて燃料電池スタック中の残留水分量を推定する残留水分量推定手段と、前記パージ時に温度センサ１０，１１で測定された温度変化に基づいてパージ中の水の蒸発量を推定する蒸発量推定手段と、を兼ねるものであり、前記残留水分量及び前記蒸発量から推定される燃料電池スタック内部の湿潤度合いが所定値を下回った時に、前記パージを停止するように制御する。
【００１７】
さらに、制御装置１３は、特に限定されないが本実施例では、ＣＰＵとプログラムＲＯＭと作業用ＲＡＭと入出力インタフェースと備えるマイクロプロセッサで構成されている。
【００１８】
ここで、燃料電池スタック１のカソードセパレータ４１は、図２のようにカソード入口マニホールド２１、カソード出口マニホールド２２、アノード入口マニホールド２３、アノード出口マニホールド２４、冷却液入口マニホールド２５、冷却液出口マニホールド２６、カソードガス流路２７を備えている。
【００１９】
セパレータに設けられたカソードガス流路が蛇行（サーペンタイン）流路の場合を図２（ａ）に、同じく直線（ストレート）流路の場合を図２（ｂ）に示した。なお、各セルにおいてカソードガス（酸化剤ガス、空気）と冷却液の流れ方向は同方向である。
【００２０】
次に、温度測定セル９の詳細について説明する。本実施例では温度計測手段として、温度センサ３１，３２，３３を図３に示すように膜電極接合体４３ａに近接して設ける場合と、図４に示すように発電に寄与しなダミーセル４４とに設ける場合とを提案する。温度センサ３１，３２，３３は例えば熱電対・測温抵抗体・サーミスタなどを用いる。
【００２１】
図３に示した膜電極接合体に近接して設けた場合には、電解質膜・触媒層・ガス拡散層（ＧＤＬ）の温度を最も応答性良く把握することができ、より精度の高い湿潤度合いの測定を実施することができる。
【００２２】
また、図４に示したダミーセル４４に設ける場合には、燃料電池スタック１への取り付けが容易でコストを低く抑えることができ、また、ダミーセル４４は発電に寄与しないので、そのセルにはガス供給が不要であり、よって高濃度の水素イオン（酸）に触れることも無いので、高度な信頼性と耐久性が期待できる。
【００２３】
ここで、温度センサ３１，３２，３３のカソードガス流路に対する位置関係は図２の３１ａ，３２ａ，３３ａの位置であり、それぞれ、カソードガス流路の上流側、中流、下流側に設けられている。図１の上流側温度センサ１０に相当するものが図３，４の温度センサ３１であり、図１の下流側温度センサ１１に相当するものが図３，４の温度センサ３３である。
【００２４】
次に、図５の制御フローチャートを参照して、本実施例における燃料電池システム運転停止動作について説明する。尚、フローチャートには記載しないが、燃料電池システムの通常運転中は、一定時間毎に燃料電池スタックの負荷（出力電流または出力電力）を図示しない電流計（及び電圧計）によりサンプリングして、運転履歴として制御装置内のメモリへ記憶しているものとする。
【００２５】
図５において、燃料電池システム停止のトリガー（車両ではキースイッチや始動／停止スイッチのオフ）が制御装置に入力されたら、まずステップ（以下、ステップをＳと略す）１０において、制御装置内のメモリに記憶した運転履歴を参照して運転停止前の燃料電池スタックの負荷を求め、例えば図６に示すような制御マップから負荷に対応する燃料電池スタック１のセル中の残留水量を推定演算する。
【００２６】
この残留水量の推定に用いる燃料電池スタックの負荷と温度は、負荷変動が小さい照明用燃料電池システム等では、停止直前の負荷とセル温度のみを参照して残留水量の推定に用いればよい。しかしながら、負荷変動が大きい燃料電池車両等の用途においては、運転停止直前から例えば数秒〜数分程度前までの負荷やセル温度の平均値、或いは運転停止直前から遡る時間が長いほど加重係数を小さくした負荷やセル温度の加重平均値により求めることが好ましい。
【００２７】
図６は、負荷と、燃料電池スタック１の冷却液出口に配置された冷却液温度センサ１２による温度と、に応じたセル中の残留水量を示す制御マップの例であり、燃料電池セルの膜電極接合体やガス拡散層などの材質・形状により異なる制御マップになるため、事前に実機により各種条件の実験を行ってマップデータを作成し、制御装置に記憶させておく。
【００２８】
図６で現在のセル中の残留水量Ｍが推定できたら、図８のマップを用いて目標の温度変化量ΔＴｘを求める。図７に示すように、セルの温度変化ΔＴと蒸発量は放熱などを無視できる領域では、単純な比例関係にあるため、図８のように初期の残留水量と温度変化ΔＴからセルの湿潤度合いを求めることができる。逆に、氷点下からの起動時に必要なセルの湿潤度合いをあらかじめ設定しておく（例えば図８の点線）ことによって、目標の温度変化量ΔＴｘを求めることができる。ここでは、図７のように水の蒸発熱以外の放熱を無視して、蒸発量が温度変化に比例する制御マップを使用したが、状況に応じて放熱を考慮したマップを使用してもよい。
【００２９】
次いで、Ｓ１２において、空気コンプレッサ２によりカソード流路に空気を供給して、燃料電池スタック１の湿潤度合いを低下させるパージを行う。次いでＳ１４で、温度センサ３１，３２，３３によりセル温度の測定を行い、Ｓ１６で、温度センサが測定した温度とパージ前の温度との差ΔＴを算出し、ΔＴがＳ１０で求めたΔＴｘを超えたか否かを判定する。Ｓ１６の判定でΔＴがΔＴｘを超えていなければ、Ｓ１２へ戻って、パージを継続する。
【００３０】
Ｓ１６の判定で、ΔＴがΔＴｘを超えたら、Ｓ１８へ進み、空気コンプレッサ２を停止させ、パージ用空気の供給を停止させて、燃料電池システムの停止動作を終了させる。
【００３１】
このような制御により、膜電極接合体中の湿潤度合いが所定値になったところで、パージを停止するので、従来のように湿潤度合いが不明確なため冗長なパージをしているシステムと比較し、不必要なパージ時間をなくし、パージのための空気コンプレッサ駆動エネルギーを節約できる。また、パージのし過ぎによる膜電極接合体のドライアウトを防止でき、起動時の応答性や耐久性を向上させることができる。
【実施例２】
【００３２】
次に、本発明に係る燃料電池システムの実施例２を説明する。図９に示した実施例２の構成と図１の実施例１との相違点は、次回燃料電池起動時の温度を予測する次回起動温度予測手段１４が追加になっていることであり、その他の構成は、図１と同様である。
【００３３】
次回起動温度予測手段１４は、例えば、ＧＰＳ受信機により緯度・経度情報を取得して燃料電池システムの設置場所、或いは燃料電池車両の駐車位置が属する地域を判定し、デジタル放送受信機等で、その地域の天気予報の気温予報情報を取得することによって、次回起動時の温度を予測することができる。
【００３４】
ここで、起動温度予測の際に、ユーザーが次回の起動時間を入力できるようにし、その時間の温度情報を起動温度予測値としてもよいし、ユーザーの入力を採用しない場合には、その地域のその時期の最低温度を参考にして起動温度予測値を算出するようにしてもよい。
【００３５】
次に、図１０の制御フローチャートを参照して、本実施例における燃料電池システム運転停止動作について説明する。尚、フローチャートには記載しないが、燃料電池システムの通常運転中は、一定時間毎に燃料電池スタックの負荷（出力電流または出力電力）を図示しない電流計（及び電圧計）によりサンプリングして、運転履歴として制御装置内のメモリへ記憶しているものとする。
【００３６】
図１０において、燃料電池システム停止のトリガー（車両ではキースイッチや始動／停止スイッチのオフ）が制御装置に入力されたら、まずＳ２０において、次回起動温度予測手段１４によって、次回起動温度の予測値が取得される。
【００３７】
次いでＳ２２において、次回起動温度の予測値が所定値以下か否かを判定する。予測値が所定値以下でない場合には、通常の停止操作へ移る。Ｓ２２の判定で、次回起動温度の予測値が所定値以下の場合は、Ｓ２４以下の氷点下からの起動に対応する制御を実行する。
【００３８】
Ｓ２４では、次回起動温度の予測値から、温度予測値に対応した燃料電池スタックが必要とする湿潤度合いを図１１に示したような制御マップから求める。図１１の制御マップは、燃料電池スタック１に使用した膜電極接合体、ガス拡散層、セパレータ等の材質、形状に基づいて、燃料電池スタック１の温度が起動温度予測値まで低下しても、結露、凍結により、燃料電池スタックを劣化させたり、起動時のガス供給を阻害しない湿潤度合いを実験的に求めて、起動温度予測値に対する必要な湿潤度合いとして制御マップ化したものである。
【００３９】
次いで、Ｓ２６で、制御装置内のメモリに記憶した運転履歴を参照して運転停止前の燃料電池スタックの負荷を求め、例えば図６に示すような制御マップを参照して、負荷と冷却液出口温度に対応する燃料電池スタック１のセル中の残留水量を推定演算する。
【００４０】
ここで、残留水量の推定に用いる燃料電池スタックの負荷と温度は、負荷変動が小さい照明用燃料電池システム等では、停止直前の負荷とセル温度のみを参照して残留水量の推定に用いればよい。しかしながら、負荷変動が大きい燃料電池車両等の用途においては、運転停止直前から例えば数秒〜数分程度前までの負荷やセル温度の平均値、或いは運転停止直前から遡る時間が長いほど加重係数を小さくした負荷やセル温度の加重平均値により求めることが好ましい。
【００４１】
次いで、図６のマップを参照して求めた現在のセル中の残留水量Ｍと、次回起動温度予測値から求めたセルの必要湿潤度合いとから、図８のマップを参照して目標とするパージ中の温度変化量ΔＴｘを求める。
【００４２】
次に、Ｓ２８で、空気コンプレッサ２によりカソード流路に空気を供給する。次いでＳ３０で、温度センサ３１，３２，３３によりセル温度を計測する。Ｓ３２で、セル温度の計測値とパージ開始時の温度の差ΔＴを求め、ΔＴが目標温度変化量ΔＴｘを超えたか否かを判定する。ΔＴが目標温度変化量ΔＴｘを超えていなければ、Ｓ２８へ戻ってパージを継続する。Ｓ３２の判定で、ΔＴが目標温度変化量ΔＴｘを超えたら、Ｓ３４へ進み、空気コンプレッサ２を停止させ、パージ用空気の供給を停止させて、燃料電池システムの停止動作を終了させる。
【００４３】
これにより、次回起動温度に対応した膜の乾燥状態を実現することができ、実施例１よりもさらに不必要なパージ時間・パージのための空気コンプレッサ駆動用エネルギーを節約でき、また、起動時の応答性や耐久性を向上させることができる。
【実施例３】
【００４４】
次に、本発明に係る燃料電池システムの実施例３を説明する。図１２に示した実施例３の構成と図１の実施例１との相違点は、燃料電池スタック１の冷却液系統が２系統に分かれており、そのどちらか一方もしくは両方に冷却液を流すことをコントロールできるように、燃料電池スタック１の２つの冷却液入口にそれぞれ独立に制御可能な冷却液バルブ１５ａ，１５ｂを設けたことである。また、燃料電池スタック１の２つの冷却液出口に、それぞれ冷却液温度センサ１２ａ，１２ｂを配置している。
【００４５】
図１３は、カソードセパレータ５１に設けた２系統の冷却液流路を説明する図である。  ここで、カソードガスは、カソード入口マニホールド６５から流入し、左方向へ流れて、カソード出口マニホールド６６から排出される。アノードガスは、アノード入口マニホールド６７から流入し、右方向へ流れて、アノード出口マニホールド６８から排出される。
【００４６】
図１３において、カソードガスは、カソード入口マニホールド６５から流入し、左方向へ流れて、カソード出口マニホールド６６から排出される。アノードガスは、アノード入口マニホールド６７から流入し、右方向へ流れて、アノード出口マニホールド６８から排出されるようになっている。
【００４７】
２系統の冷却系統のうち、第１系統の冷却液は、発電面内のカソードガス上流側（図中左側）を冷却する冷却系統であり、冷却液入口マニホールド６１から流入して右方向へ流れ、セル面中央で折り返して、左方向に流れて冷却液出口マニホールド６２から排出される。第２系統の冷却液は、発電面内のカソードガス下流側（図中右側）を冷却する冷却系統であり、冷却液入口マニホールド６３から流入して左方向へ流れ、セル面中央で折り返して、右方向へ流れて冷却液出口マニホールド６４から排出される。このような２系統の冷却液流路により、本実施例では、各セルのカソードガス上流側とカソードガス下流側とで、独立に燃料電池スタックを冷却することができるようになっている。
【００４８】
次に、図１４の制御フローチャートを参照して、本実施例３における燃料電池システム運転停止動作について説明する。尚、フローチャートには記載しないが、燃料電池システムの通常運転中は、一定時間毎に燃料電池スタックの負荷（出力電流または出力電力）を図示しない電流計（及び電圧計）によりサンプリングして、運転履歴として制御装置内のメモリへ記憶しているものとする。
【００４９】
図１４において、燃料電池システム停止のトリガー（車両ではキースイッチや始動／停止スイッチのオフ）が制御装置に入力されたら、まずＳ４０において、制御装置内のメモリに記憶した運転履歴を参照して運転停止前の燃料電池スタックの負荷を求め、例えば図６に示すような制御マップから負荷に対応する燃料電池スタック１のセル中の残留水量を推定演算する。
【００５０】
この残留水量の推定に用いる燃料電池スタックの負荷は、負荷変動が小さい照明用燃料電池システム等では、停止直前の負荷のみを参照して残留水量の推定に用いればよい。しかしながら、負荷変動が大きい燃料電池車両等の用途においては、運転停止直前から例えば数分〜十分程度前までの負荷の平均値、或いは運転停止直前から遡る時間が長いほど加重係数を小さくした負荷の加重平均値により求めることが好ましい。
【００５１】
図６で現在のセル中の残留水量Ｍが推定できたら、図８のマップを用いて目標の温度変化量ΔＴｘを求める。図７に示すように、セルの温度変化ΔＴと蒸発量は放熱などを無視できる領域では、単純な比例関係にあるため、図８のように初期の残留水量と温度変化ΔＴからセルの湿潤度合いを求めることができる。逆に、氷点下からの起動時に必要なセルの湿潤度合いをあらかじめ設定しておく（例えば図８の点線）ことによって、目標の温度変化量ΔＴｘを求めることができる。ここでは、図７のように水の蒸発熱以外の放熱を無視して、蒸発量が温度変化に比例する制御マップを使用したが、状況に応じて放熱を考慮したマップを使用してもよい。
【００５２】
次いで、Ｓ４２において、空気コンプレッサ２によりカソード流路に空気を供給して、燃料電池スタック１の湿潤度合いを低下させるパージを行う。次いでＳ４４で、温度センサ３１，３２，３３によりセル温度の測定を行い、Ｓ４６で、上流側温度センサ３１が測定した温度Ｔｕとパージ前の温度との差ΔＴｕを算出し、ΔＴｕがＳ４０で求めたΔＴｘを超えたか否かを判定する。Ｓ４６の判定でΔＴｕがΔＴｘを超えていなければ、Ｓ４２へ戻って、パージを継続する。
【００５３】
Ｓ４６の判定で、ΔＴｕがΔＴｘを超えたら、Ｓ４８へ進み、冷却液バルブ１５ａを開き、冷却液バルブ１５ｂを閉じた状態で、冷却液ポンプ３を駆動して、カソード上流側の冷却液流路である第１の冷却液流路に冷却液を流して、燃料電池スタック１の各セルのカソードガス上流側のみの温度を低下させる。
【００５４】
次いで、Ｓ５０で、温度センサ３１，３２，３３によりセル温度の測定を行い、Ｓ５２で、下流側温度センサ３３が測定した温度Ｔｄとパージ前の温度との差ΔＴｄを算出し、ΔＴｄがＳ４０で求めたΔＴｘを超えたか否かを判定する。Ｓ５２の判定でΔＴｄがΔＴｘを超えていなければ、Ｓ５０へ戻って、パージを継続した状態で再度、温度を測定する。Ｓ５２の判定で、ΔＴｄがΔＴｘを超えていれば、Ｓ５４へ進み、空気コンプレッサ２を停止させ、パージ用空気の供給を停止させて、燃料電池システムの停止動作を終了させる。
【００５５】
上記の動作で、燃料電池停止時のパージ時に上流側の湿潤度合いが所定値になった後に、上流側の温度を下げてパージを継続するので、上流側を乾燥させすぎることなく、下流側を所定値まで乾燥させることができる。これにより、上流側の乾燥させすぎによる膜の劣化を防止することができる。
【図面の簡単な説明】
【００５６】
【図１】本発明に係る燃料電池システムの実施例１の構成を示す図である。
【図２】（ａ）カソードガス流路が蛇行流路の場合の本発明の燃料電池のセル形状と温度計測部位を示す図、（ｂ）カソードガス流路が直線流路の場合の本発明の燃料電池のセル形状と温度計測部位を示す図である。
【図３】本発明における温度測定セルの実施形態を示す図である。
【図４】本発明における温度測定セルの実施形態を示す図である。
【図５】実施例１の制御装置による運転停止時のパージ動作を説明するフローチャートである。
【図６】燃料電池の運転履歴からセル中の残留水量を推定するマップである。
【図７】セルの温度変化と蒸発量の関係を示す図である。
【図８】セルの必要湿潤度合いから目標となるセル温度変化を求めるマップである。
【図９】本発明に係る燃料電池システムの実施例２の構成を示す図である。
【図１０】実施例２の制御装置による運転停止時のパージ動作を説明するフローチャートである。
【図１１】起動温度予測値から必要な湿潤度合いを求めるマップである。
【図１２】本発明に係る燃料電池システムの実施例３の構成を示す図である。
【図１３】実施例３に用いる２系統の冷却液流路を備えたセパレータの概略図である。
【図１４】実施例３の制御装置による運転停止時のパージ動作を説明するフローチャートである。
【符号の説明】
【００５７】
１：燃料電池スタック
２：空気コンプレッサ
３：冷却液ポンプ
４：ラジエータ
５：水素タンク
６：水素圧力調整弁
７：バイパス流路
８：三方弁
９：温度測定セル
１０：上流側温度センサ
１１：下流側温度センサ
１２：冷却液温度センサ
１３：制御装置
１４：次回起動温度予測手段
【図１】
2007317552.tif 000003
【図２】
2007317552.tif 000004
【図３】
2007317552.tif 000005
【図４】
2007317552.tif 000006
【図５】
2007317552.tif 000007
【図６】
2007317552.tif 000008
【図７】
2007317552.tif 000009
【図８】
2007317552.tif 000010
【図９】
2007317552.tif 000011
【図１０】
2007317552.tif 000012
【図１１】
2007317552.tif 000013
【図１２】
2007317552.tif 000014
【図１３】
2007317552.tif 000015
【図１４】
2007317552.tif 000016